(57)【要約】【課題】中皿への衝撃吸収機能を維持しつつ、部品点数を削減することが可能なコンパクト容器を提供する。【解決手段】内容物を収容する中皿１０と、弾性材料からなり、中皿１０の外側に配置される衝撃吸収部２０と、中皿１０及び衝撃吸収部２０を収納する凹状の収納部３３を有する容器本体部３０と、収納部３３の上端開口３４を開閉可能な蓋体４０とを備え、衝撃吸収部２０が、中皿１０と一体に成形されていることを特徴とする。【選択図】図１
2020162942.tif 000002
【特許請求の範囲】
【請求項１】
内容物を収容する中皿と、
弾性材料からなり、前記中皿の外側に配置される衝撃吸収部と、
前記中皿及び前記衝撃吸収部を収納する凹状の収納部を有する容器本体部と、前記収納部の上端開口を開閉可能な蓋体とを備え、
前記衝撃吸収部が、前記中皿と一体に成形されていることを特徴とするコンパクト容器。
【請求項２】
前記中皿は、有底筒状の中皿本体部と、前記中皿本体部の外周側に間隔を空けて配置されるフレーム部と、前記中皿本体部及び前記フレーム部を連結する連結片とを有する、請求項１に記載のコンパクト容器。
【請求項３】
前記連結片は、平面視で矩形の前記中皿本体部における角部に配置されている、請求項２に記載のコンパクト容器。
【請求項４】
前記中皿本体部と前記フレーム部との間に、前記衝撃吸収部の側壁部が配置されている、請求項２又は３に記載のコンパクト容器。
【請求項５】
前記衝撃吸収部の側壁部の外周面に、前記容器本体部に設けられた被係合部に係合して、前記収納部に収納された前記衝撃吸収部及び前記中皿の上方への移動を抑制するための抜け止め凸部が設けられている、請求項１〜４の何れか一項に記載のコンパクト容器。
【請求項６】
前記抜け止め凸部と、前記容器本体部に設けられた中枠の内縁部との係合により、前記中皿の水平方向の移動が抑制されるように構成されている、請求項５に記載のコンパクト容器。
【請求項７】
前記衝撃吸収部の側壁部と前記容器本体部の側壁との間に空洞部が形成されている、請求項１〜６の何れか一項に記載のコンパクト容器。
【発明の詳細な説明】
【技術分野】
【０００１】
本発明は、化粧料等の内容物を収容する中皿と、当該中皿を収納する凹所が形成された容器本体部と、前記凹所の上端開口を開閉可能な蓋体とを備えるコンパクト容器に関する。
【背景技術】
【０００２】
例えば化粧料容器等として使用されるコンパクト容器は、容器本体部に形成された凹所に、化粧料等の内容物が充填された中皿が配置され、凹所を開閉可能な蓋体で覆っているものが知られている（例えば、特許文献１参照）。
【０００３】
また、このようなコンパクト容器においては、落下時の衝撃等による内容物への影響を低減するため、中皿と容器本体部との間に、ゴムやエラストマ等の弾性材料からなる衝撃吸収部（衝撃吸収部材）が配置されている。
【先行技術文献】
【特許文献】
【０００４】
【特許文献１】特開２０１０−１７８８９８号公報
【発明の概要】
【発明が解決しようとする課題】
【０００５】
上記のようなコンパクト容器は、容器本体部、衝撃吸収部、及び中皿をそれぞれ別々に成形した後、容器本体部の凹所に衝撃吸収部及び中皿をそれぞれ配置する構成とされている。このように容器本体部、衝撃吸収部、及び中皿をそれぞれ別々に成形することで、部品点数が増加することに加え、組立ての手間も掛かっていた。
【０００６】
それゆえ本発明は、中皿への衝撃吸収機能を維持しつつ、部品点数を削減することが可能なコンパクト容器を提供することを目的とする。
【課題を解決するための手段】
【０００７】
本発明は、上記課題を解決するためになされたものであり、本発明のコンパクト容器は、内容物を収容する中皿と、
弾性材料からなり、前記中皿の外側に配置される衝撃吸収部と、
前記中皿及び前記衝撃吸収部を収納する凹状の収納部を有する容器本体部と、前記収納部の上端開口を開閉可能な蓋体とを備え、
前記衝撃吸収部が、前記中皿と一体に成形されていることを特徴とするものである。
【０００８】
なお、本発明のコンパクト容器にあっては、前記中皿は、有底筒状の中皿本体部と、前記中皿本体部の外周側に間隔を空けて配置されるフレーム部と、前記中皿本体部及び前記フレーム部を連結する連結片とを有することが好ましい。
【０００９】
また、本発明のコンパクト容器にあっては、前記連結片は、平面視で矩形の前記中皿本体部における角部に配置されていることが好ましい。
【００１０】
また、本発明のコンパクト容器にあっては、前記中皿本体部と前記フレーム部との間に、前記衝撃吸収部の側壁部が配置されていることが好ましい。
【００１１】
また、本発明のコンパクト容器にあっては、前記衝撃吸収部の側壁部の外周面に、前記容器本体部に設けられた被係合部に係合して、前記収納部に収納された前記衝撃吸収部及び前記中皿の上方への移動を抑制するための抜け止め凸部が設けられていることが好ましい。
【００１２】
また、本発明のコンパクト容器にあっては、前記抜け止め凸部と、前記容器本体部に設けられた中枠の内縁部との係合により、前記中皿の水平方向の移動が抑制されるように構成されていることが好ましい。
【００１３】
また、本発明のコンパクト容器にあっては、前記衝撃吸収部の側壁部と前記容器本体部の側壁との間に空洞部が形成されていることが好ましい。
【発明の効果】
【００１４】
本発明によれば、中皿への衝撃吸収機能を維持しつつ、部品点数を削減することが可能なコンパクト容器を提供することができる。
【図面の簡単な説明】
【００１５】
【図１】本発明の一実施形態に係るコンパクト容器の側面視での断面図である。
【図２】図１に示すコンパクト容器の（ａ）正面図、（ｂ）平面図である。
【図３】図１に示すコンパクト容器の中皿及び衝撃吸収部の底面図である。
【図４】図３の中皿及び衝撃吸収部におけるＢ−Ｂ線における断面図である。
【発明を実施するための形態】
【００１６】
以下、図面を参照して、本発明の一実施形態に係るコンパクト容器１について詳細に説明する。なお、本明細書、特許請求の範囲、及び要約書において、「上」側とは、容器本体部３０に対して蓋体４０が位置する側（図１における上側）であり、「下」側とはその反対側（図１における下側）である。また、「前」側とは、ヒンジ部４１に対して爪部４４が位置する側（図１の左側）であり、「後」側とは、その反対側（図１の右側）である。コンパクト容器１の幅方向（左右方向）は、上下方向及び前後方向に対して垂直な方向である。
【００１７】
図１、２に示すように、コンパクト容器１は、固形化粧料等の内容物を収容する中皿１０と、中皿１０の外側に位置し、中皿１０と一体に形成された衝撃吸収部２０と、中皿１０及び衝撃吸収部２０を収納するための収納部３３を有する容器本体部３０と、容器本体部３０の上端開口３４を覆う蓋体４０とを備えている。なお、図１は、図２（ａ）のＡ−Ａ線における断面を示す側面視での断面図である。また図２（ａ）は、コンパクト容器１の正面図であり、図２（ｂ）は平面図である。
【００１８】
ここで、図３は、一体に成形された中皿１０及び衝撃吸収部２０を単独で示す底面図である。図４は、図３のＢ−Ｂ線における断面図である。
【００１９】
中皿１０は、有底筒状の中皿本体部１１と、中皿本体部１１の外周側に間隔を空けて配置されるフレーム部１２と、中皿本体部１１とフレーム部１２とを連結する連結片１３とを有する。
【００２０】
中皿本体部１１は、環状（筒状）の周壁１４と底壁１５とを有する。中皿本体部１１の内側に内容物の収容空間１６が形成されている。本例の周壁１４は、横断面が略矩形となっている。底壁１５は、周壁１４の下端を塞ぐ平坦な板状である。周壁１４の外周面には、係合凸部１４ａが設けられている。この係合凸部１４ａは、衝撃吸収部２０の側壁部２１の内周面に設けられた係合凸部２１ａに係合している。これにより、中皿１０に対する衝撃吸収部２０の密着強度が高まり、衝撃吸収部２０の分離（剥離）等をより確実に防止することができる。
【００２１】
フレーム部１２は、中皿本体部１１の周壁１４の上端部付近を外側から取り囲むように配置された略矩形の環状枠体である。フレーム部１２は、周壁１４の外周面から径方向外側（外周側）に離間する位置に配置されている。また、図４に示すように、本例のフレーム部１２は、その横断面（フレーム部１２の延在方向に垂直な断面）が矩形となる形状を有する。本例において、フレーム部１２の上端は、周壁１４の上端よりも高い位置にあり、フレーム部１２の下端は周壁１４の上端よりも低い位置にある。また、本例のフレーム部１２の上端は、衝撃吸収部２０の側壁部２１の上端（抜け止め凸部２３の上端）よりも上方に突出している。なお、フレーム部１２は、周方向に連続した環形状に限らず、周方向に間欠した形状でもよい。容器本体部３０に設けられた中枠３６も同様に、周方向に連続した環形状でもよいし、周方向に間欠した形状でもよい。
【００２２】
連結片１３は、平面視で矩形となる中皿１０の、４つの角部に配置されている。すなわち、連結片１３は、中皿１０の対角線上の４箇所に配置されている。なお、連結片１３の位置及び形状は図示例に限らず、適宜変更可能である。
【００２３】
それぞれの連結片１３は、相互に直交する水平部１３ａと鉛直部１３ｂとで構成されている。水平部１３ａ及び鉛直部１３ｂは、比較的厚みの小さい板状（帯状）である。水平部１３ａの一端（内端）は中皿本体部１１の下端部に連結されており、他端（外端）は鉛直部１３ｂの下端部に連結されている。鉛直部１３ｂの上端部は、フレーム部１２の下面に連結されている。連結片１３は、衝撃吸収部２０の側壁部２１に埋め込まれている。
【００２４】
衝撃吸収部２０は、例えばゴムまたはエラストマ等の可撓性を有する弾性材料で形成されている。本実施形態では、中皿１０と衝撃吸収部２０とが、インサート成形又は二色成形（ダブルモールド）により異材料（例えば、中皿１０にＡＢＳ樹脂、衝撃吸収部２０にエラストマ）を用いて一体の部品として構成されている。
【００２５】
衝撃吸収部２０は、中皿本体部１１の外面に密着した状態で配置されている。衝撃吸収部２０は、中皿本体部１１の周壁１４を外側から取り囲む側壁部２１と、側壁部２１の下部に連なる底壁部２２とを有する。側壁部２１の上端は、周壁１４の上端と同じ高さに位置しており、フレーム部１２の上端よりも低い位置にある。すなわち、フレーム部１２は、衝撃吸収部２０及び中皿本体部１１よりも上方に突出している。また、中皿本体部１１とフレーム部１２の間には衝撃吸収部２０が配置されている。これにより、フレーム部１２が外側から衝撃を受けた場合でも、緩衝材としての衝撃吸収部２０が衝撃を吸収するため、中皿本体部１１及び内容物には衝撃が伝わり難くなっている。
【００２６】
また衝撃吸収部２０は、側壁部２１の外周面から径方向外側に突出する抜け止め凸部２３を有する。抜け止め凸部２３は側壁部２１の上端部に配置されており、また、側壁部２１の周方向に沿って全周にわたって設けられている。抜け止め凸部２３の外周面２３ａは、径方向外側に向けて凸となる湾曲面で構成されている。
【００２７】
抜け止め凸部２３は、容器本体部３０に設けられた中枠３６の被係合部３６ａに係合するように構成されており、これにより、衝撃吸収部２０及び中皿１０が、容器本体部３０の収納部３３に抜け止め保持される。より具体的に、本例の被係合部３６ａは、中枠３６の内縁部３６ｂの下面であり、抜け止め凸部２３の上方に位置する当該被係合部３６ａが、抜け止め凸部２３の上方への移動を抑制している。
【００２８】
また、本例では、抜け止め凸部２３が、容器本体部３０に設けられた中枠３６の内縁部３６ｂに係合することにより、衝撃吸収部２０及び中皿１０の水平方向（前後方向、左右方向）の移動が抑制されるように構成されている。このように、中枠３６の内縁部３６ｂに対して、弾性材料で形成された抜け止め凸部２３を水平方向に係合させることにより、抜け止め凸部２３の弾性変形による僅かな中皿１０の水平方向の移動は許容しつつ、中皿１０の水平方向の位置を安定した状態で保持することができる。また、抜け止め凸部２３は弾性材料で形成されているため、容器本体部３０側から中枠３６を介して抜け止め凸部２３に水平方向の力（衝撃）が加わったとしても、当該抜け止め凸部２３、及び抜け止め凸部２３の内側の側壁部２１で衝撃を吸収することができる。
【００２９】
衝撃吸収部２０の側壁部２１と容器本体部３０の側壁３１との間には、空洞部３８が形成されていることが好ましい。これによれば、容器本体部３０が外部から衝撃を受けた際に、中皿１０に衝撃が伝わり難くなる。本例では、中皿１０及び衝撃吸収部２０の前側及び後側にそれぞれ空洞部３８が設けられている。
【００３０】
容器本体部３０は、衝撃吸収部２０の側壁部２１の外側に位置する側壁３１と、衝撃吸収部２０の底壁部２２の下方に位置する底壁３２とを有する。側壁３１と底壁３２とによって、中皿１０及び衝撃吸収部２０を収納するための収納部３３が区画形成される。収納部３３の上端開口３４を蓋体４０が覆うこととなる。
【００３１】
図１に示すように、本例では、容器本体部３０の底壁３２を貫通する孔部３５が形成されている。このような構成とすることにより、例えば棒材等を孔部３５に挿入して衝撃吸収部２０と共に中皿１０を下方から押し上げることで、容易に衝撃吸収部２０と共に中皿１０を取り外すことができる。したがって、中皿１０の内容物を使い切った際に、内容物が充填された新たな中皿１０に交換することが容易となる。
【００３２】
蓋体４０は、後側に設けられたヒンジ部４１を介して容器本体部３０に連結されており、ヒンジ部４１を中心として揺動可能に構成されている。蓋体４０の天壁４２の内面には、鏡４３が固定されている。また、蓋体４０の前端側には爪部４４が設けられている。蓋体４０の閉状態において、爪部４４は容器本体部３０の中枠３６に設けられた係合保持部３６ｃに係合しており、蓋体４０の閉状態を維持している。また、容器本体部３０の押圧部３７を後側に押し込むことにより、係合保持部３６ｃが後側にスライドして爪部４４との係合が解除され、蓋体４０を開くことができるように構成されている。
【００３３】
図１に示すように、本例のコンパクト容器１は、中皿１０と蓋体４０の間に、例えばパフ等の化粧道具５０等を収容できるように構成されている。
【００３４】
以上述べたように、本実施形態のコンパクト容器１は、内容物を収容する中皿１０と、弾性材料からなり、中皿１０の外側に配置される衝撃吸収部２０と、中皿１０及び衝撃吸収部２０を収納する凹状の収納部３３を有する容器本体部３０と、収納部３３の上端開口３４を開閉可能な蓋体４０とを備え、衝撃吸収部２０が、中皿１０と一体に成形されている。これによれば、容器本体部３０が衝撃を受けた場合でも、衝撃吸収部２０によって当該衝撃が吸収されるため、中皿１０に衝撃が伝わり難くなる。従って、本実施形態によれば、中皿１０に伝わる衝撃を効果的に吸収することで、中皿１０の中皿本体部１１に収容された固形化粧料等の内容物に亀裂や欠けを生じさせ難くすることができる。また、衝撃吸収部２０を、中皿１０と一体に成形したことにより、衝撃吸収機能を維持したまま部品点数を削減することができる。
【００３５】
また、本実施形態にあっては、中皿１０が、有底筒状の中皿本体部１１と、中皿本体部１１の外周側に間隔を空けて配置されるフレーム部１２と、中皿本体部１１及びフレーム部１２を連結する連結片１３とを有している。このような構成により、容器本体部３０が衝撃を受けた場合に、中枠３６及び抜け止め凸部２３を介してフレーム部１２に衝撃が加わったとしても、フレーム部１２から中皿本体部１１に直接衝撃が加わらず、連結片１３を介して力が伝わることとなる。その結果、連結片１３によって当該衝撃が吸収、低減されるため、中皿本体部１１に収容された固形化粧料等の内容物に亀裂や欠けをより生じさせ難くすることができる。なお、本例では、フレーム部１２の外周側に抜け止め凸部２３を設けて中枠３６に係合させたことにより、容器本体部３０からフレーム部１２に伝わる衝撃を抜け止め凸部２３で低減することができる。
【００３６】
また、本実施形態にあっては、連結片１３は、平面視で矩形の中皿本体部１１における角部に配置されている。このような構成により、フレーム部１２及び連結片１３を介して伝わる衝撃が比較的強度の高い角部に集中し易くなるため、連結片１３を矩形の各辺の中央部に設ける場合に比べて、中皿本体部１１に収容された固形化粧料等の内容物に亀裂や欠けをより生じさせ難くすることができる。
【００３７】
また、本実施形態にあっては、中皿本体部１１とフレーム部１２との間に、衝撃吸収部２０の側壁部２１が配置されていることにより、フレーム部１２に伝わる衝撃を衝撃吸収部２０の側壁部２１で吸収して、中皿本体部１１により伝わり難くすることができる。
【００３８】
また、本実施形態にあっては、衝撃吸収部２０の側壁部２１の外周面に抜け止め凸部２３が設けられており、当該抜け止め凸部２３が、容器本体部３０に設けられた被係合部３６ａに係合して、収納部３３に収納された衝撃吸収部２０及び中皿１０の上方への移動を抑制する構成となっている。すなわち、抜け止め凸部２３が弾性材料で構成されているため、容器本体部３０の収納部３３の上方から中枠３６を通して中皿１０及び衝撃吸収部２０を収納部３３にセットする操作が容易となる。つまり、中枠３６を通過する際に抜け止め凸部２３が弾性変形するため、軽い力で容易に中皿１０及び衝撃吸収部２０を収納部３３に向けて押し込むことができる。
【００３９】
上述したところは、本発明の一例を示したにすぎず、特許請求の範囲において、種々の変更を加えることができる。例えば、上述のコンパクト容器１にあっては、中皿１０の上側に化粧道具５０を配置する構成としていたが、中皿１０の前後左右の何れかの方向に隣接する位置に、化粧道具５０を配置する空間が設けられていてもよい。
【符号の説明】
【００４０】
１：コンパクト容器
１０：中皿
１１：中皿本体部
１２：フレーム部
１２ａ：フレーム部の外周面
１３：連結片
１３ａ：水平部
１３ｂ：鉛直部
１４：周壁
１４ａ：係合凸部
１５：底壁
１６：収容空間
２０：衝撃吸収部
２１：側壁部
２１ａ：係合凸部
２２：底壁部
２３：抜け止め凸部
２３ａ：抜け止め凸部の外周面
２７：孔部
３０：容器本体部
３１：側壁
３２：底壁
３３：収納部
３４：上端開口
３５：孔部
３６：中枠
３６ａ：被係合部
３６ｂ：内縁部
３６ｃ：係合保持部
３７：押圧部
３８：空洞部
４０：蓋体
４１：ヒンジ部
４２：天壁
４３：鏡
４４：爪部
５０：化粧道具
【図１】
2020162942.tif 000003
【図２】
2020162942.tif 000004
【図３】
2020162942.tif 000005
【図４】
2020162942.tif 000006